(57)【要約】【課題】複数の照明装置の点灯状態についてシーンに応じた一括制御がなされた時に電力供給がなされていなかった照明装置の電源オンによるシーンへの悪影響を低減し得る照明制御システムを提供する。【解決手段】照明装置毎に予め定められたシーン用点灯状態になり得る複数の照明装置２００ａ〜２００ｃを制御する照明制御システム１０は、複数の照明装置２００ａ〜２００ｃのうち給電されている照明装置各々をその照明装置のシーン用点灯状態にするシーン制御を実行する基本制御部１１０と、複数の照明装置２００ａ〜２００ｃのうち基本制御部１１０によるシーン制御の実行時に給電されていなかった特定照明装置が給電された際に、一定条件下でその特定照明装置をその特定照明装置のシーン用点灯状態にするよう制御する同調制御部１２０とを備える。【選択図】図２
2018006298.tif 000002
【特許請求の範囲】
【請求項１】
照明装置毎に予め定められたシーン用点灯状態になり得る複数の照明装置を制御する照明制御システムであって、
前記複数の照明装置のうち給電されている照明装置各々を当該照明装置の前記シーン用点灯状態にするシーン制御を実行する第１制御部と、
前記複数の照明装置のうち前記第１制御部による前記シーン制御の実行時に給電されていなかった特定照明装置が給電された際に、一定条件下で当該特定照明装置を当該特定照明装置の前記シーン用点灯状態にするよう制御する第２制御部とを備える
照明制御システム。
【請求項２】
前記第２制御部は、前記第１制御部が前記シーン制御を実行してから所定時間内において前記特定照明装置が給電された場合には前記特定照明装置を前記シーン用点灯状態にする前記制御を行い、当該所定時間の後に前記特定照明装置が給電された場合には当該制御を行わない
請求項１記載の照明制御システム。
【請求項３】
前記第２制御部は、前記第１制御部の前記シーン制御により前記シーン用点灯状態になった１台以上の照明装置の点灯状態が当該シーン用点灯状態と異なる状態に変更された後においては、前記特定照明装置を当該特定照明装置の前記シーン用点灯状態にする前記制御を抑止する
請求項１又は２記載の照明制御システム。
【請求項４】
前記照明制御システムは、前記複数の照明装置と、前記第１制御部及び前記第２制御部を有する制御装置とを備え、
前記第１制御部は、前記シーン制御を実行するために第１制御情報の送信を行い、
前記第２制御部は、前記特定照明装置を制御する場合には前記特定照明装置に第２制御情報を送信し、
前記複数の照明装置の各々は、
照明部と、
前記制御装置と通信する通信部と、
前記通信部により前記制御装置から前記第１制御情報が受信された場合には当該照明装置の前記シーン用点灯状態となるように前記照明部を制御する照明制御部とを有し、
前記複数の照明装置のうち、前記特定照明装置を含む１台以上の照明装置各々における前記照明制御部は、当該照明装置への給電が開始された際に前記通信部により前記制御装置と通信して、当該通信の際に前記制御装置から前記第２制御情報が受信された場合には当該照明装置の前記シーン用点灯状態となるように前記照明部を制御する
請求項１〜３のいずれか一項に記載の照明制御システム。
【請求項５】
前記第１制御部は、前記制御装置がユーザ操作を受けたことに応じて、又は、ユーザ操作を受けた外部装置から送信された信号を前記制御装置が受信したことに応じて、前記制御装置から前記第１制御情報を送信させ、
前記第２制御部は、前記特定照明装置への給電が開始された際に当該特定照明装置が送信する信号を、前記制御装置が受信した際に、一定条件下で前記制御装置から前記第２制御情報を送信させる
請求項４記載の照明制御システム。
【請求項６】
前記制御装置は、ユーザ操作を受ける操作部を備え、
前記第１制御部は、前記操作部によりユーザ操作を受けたことに応じて前記制御装置から前記第１制御情報を送信させる
請求項５記載の照明制御システム。
【請求項７】
前記制御装置は、前記複数の照明装置のいずれか一台と一体化している
請求項４又は５記載の照明制御システム。
【請求項８】
１台又は複数台の照明装置を制御するために点灯状態に関する制御情報を送信する制御装置と通信し得る照明装置であって、
照明部と、
前記制御装置と通信する通信部と、
前記通信部により前記制御装置から制御情報が受信された際に当該制御情報に応じた点灯状態となるように前記照明部を制御する照明制御部と、
自装置への給電が開始された際に、前記制御装置に制御情報の送信を要求するために予め定められた要求信号を前記通信部に送信させる要求部とを備える
照明装置。
【請求項９】
前記照明制御部は、自装置への給電が開始されてから一定時間内において、前記通信部により前記制御装置からの制御情報が受信されるまでは、所定基準より暗い点灯状態となるように前記照明部を制御する
請求項８記載の照明装置。
【請求項１０】
前記照明制御部は、自装置への給電が開始された際に所定基準より暗い点灯状態となるように前記照明部を制御し、前記通信部により前記制御装置からの制御情報が受信されるまでは、徐々に、より明るい点灯状態へと変化するように前記照明部を制御する
請求項８記載の照明装置。
【請求項１１】
照明装置毎に予め定められたシーン用点灯状態になり得る複数の照明装置を制御する照明制御方法であって、
前記複数の照明装置のうち給電されている照明装置各々を当該照明装置の前記シーン用点灯状態にするシーン制御を実行する第１制御ステップと、
前記複数の照明装置のうち前記第１制御ステップでの前記シーン制御の実行時に給電されていなかった特定照明装置が給電された際に、一定条件下で当該特定照明装置を当該特定照明装置の前記シーン用点灯状態にするよう制御する第２制御ステップとを含む
照明制御方法。
【請求項１２】
通信回路及びマイクロプロセッサを備える制御装置に、照明装置毎に予め定められたシーン用点灯状態になり得る複数の照明装置を制御する照明制御処理を実行させるための制御プログラムであって、
前記照明制御処理は、
前記複数の照明装置のうち給電されている照明装置各々を当該照明装置の前記シーン用点灯状態にするシーン制御を実行するために第１制御情報を送信する第１制御ステップと、
前記複数の照明装置のうち前記第１制御ステップでの第１制御情報の前記送信時に給電されていなかった特定照明装置が給電されたことを当該特定照明装置との通信により検知した際に、一定条件下で当該特定照明装置を当該特定照明装置の前記シーン用点灯状態にするよう制御するために第２制御情報を送信する第２制御ステップとを含む
制御プログラム。
【発明の詳細な説明】
【技術分野】
【０００１】
本発明は、照明装置を制御する照明制御システム、並びに、この照明制御システムで用いられる照明装置、照明制御方法、及び、制御プログラムに関する。
【背景技術】
【０００２】
従来、リモコン操作等により複数の照明負荷の調光制御を集中的に行う照明制御システムが知られている（例えば、特許文献１参照）。特許文献１の技術では、各照明負荷の点灯状態（明るさの強さである調光度等）を、シーンの切り替え操作で変更できる。
【先行技術文献】
【特許文献】
【０００３】
【特許文献１】特開２００２−３６７７８８号公報
【発明の概要】
【発明が解決しようとする課題】
【０００４】
食事、映像コンテンツ鑑賞、就寝その他の各生活シーンに応じて従来技術を用いて複数の照明装置（照明器具）の明るさ等の点灯状態を一括制御する操作をした場合に、複数の照明装置のうちの一部が壁スイッチにより電源オフ状態にされていると制御できない。例えば１台の照明装置（特定照明装置と称する）が電源オフ状態の時に、ユーザ操作に基づいてシーンに応じた一括制御がなされると、特定照明装置を除く複数の照明装置はシーンに応じた点灯状態（例えば調光度を６０％にした状態等）となり、特定照明装置は消灯状態のままとなる。それから壁スイッチにより特定照明装置を電源オン状態にすると特定照明装置だけ全点灯状態（例えば最も明るい点灯状態）或いは既定（デフォルト）の点灯状態になってしまい、そのときのシーンにそぐわない状態になり得る。
【０００５】
そこで、本発明は、複数の照明装置の点灯状態についてシーンに応じた一括制御がなされた時に電力供給がなされていなかった照明装置の電源オンによるシーンへの悪影響を低減し得る照明制御システムを提供することを目的とする。また、本発明は、この照明制御システムで用いられる照明装置、照明制御方法、及び、制御プログラムを提供することを目的とする。
【課題を解決するための手段】
【０００６】
上記目的を達成するために本発明の一態様に係る照明制御システムは、照明装置毎に予め定められたシーン用点灯状態になり得る複数の照明装置を制御する照明制御システムであって、前記複数の照明装置のうち給電されている照明装置各々を当該照明装置の前記シーン用点灯状態にするシーン制御を実行する第１制御部と、前記複数の照明装置のうち前記第１制御部による前記シーン制御の実行時に給電されていなかった特定照明装置が給電された際に、一定条件下で当該特定照明装置を当該特定照明装置の前記シーン用点灯状態にするよう制御する第２制御部とを備える。
【０００７】
また、上記目的を達成するために本発明の一態様に係る照明装置は、１台又は複数台の照明装置を制御するために点灯状態に関する制御情報を送信する制御装置と通信し得る照明装置であって、照明部と、前記制御装置と通信する通信部と、前記通信部により前記制御装置から制御情報が受信された際に当該制御情報に応じた点灯状態となるように前記照明部を制御する照明制御部と、自装置への給電が開始された際に、前記制御装置に制御情報の送信を要求するために予め定められた要求信号を前記通信部に送信させる要求部とを備える。
【０００８】
また、上記目的を達成するために本発明の一態様に係る照明制御方法は、照明装置毎に予め定められたシーン用点灯状態になり得る複数の照明装置を制御する照明制御方法であって、前記複数の照明装置のうち給電されている照明装置各々を当該照明装置の前記シーン用点灯状態にするシーン制御を実行する第１制御ステップと、前記複数の照明装置のうち前記第１制御ステップでの前記シーン制御の実行時に給電されていなかった特定照明装置が給電された際に、一定条件下で当該特定照明装置を当該特定照明装置の前記シーン用点灯状態にするよう制御する第２制御ステップとを含む。
【０００９】
また、上記目的を達成するために本発明の一態様に係る制御プログラムは、通信回路及びマイクロプロセッサを備える制御装置に、照明装置毎に予め定められたシーン用点灯状態になり得る複数の照明装置を制御する照明制御処理を実行させるための制御プログラムであって、前記照明制御処理は、前記複数の照明装置のうち給電されている照明装置各々を当該照明装置の前記シーン用点灯状態にするシーン制御を実行するために第１制御情報を送信する第１制御ステップと、前記複数の照明装置のうち前記第１制御ステップでの第１制御情報の前記送信時に給電されていなかった特定照明装置が給電されたことを当該特定照明装置との通信により検知した際に、一定条件下で当該特定照明装置を当該特定照明装置の前記シーン用点灯状態にするよう制御するために第２制御情報を送信する第２制御ステップとを含む。
【発明の効果】
【００１０】
本発明の一態様に係る照明制御システム等によれば、複数の照明装置の点灯状態に係るシーンに応じた一括制御後に電源オンになった照明装置がシーンへ悪影響を及ぼすことを低減し得る。
【図面の簡単な説明】
【００１１】
【図１】実施の形態１に係る照明制御システムの概略構成図である。
【図２】実施の形態１に係る照明制御システムにおける制御装置及び照明装置の機能ブロック図である。
【図３】実施の形態１に係る制御装置が保持するシーン制御内容テーブルの一例を示す図である。
【図４】実施の形態１に係る制御装置による照明制御処理の一例を示すフローチャートである。
【図５】実施の形態１に係る照明装置の動作例を示すフローチャートである。
【図６】実施の形態１に係る照明制御システムにおける各装置の連携動作例１を示すシーケンス図である。
【図７】実施の形態１に係る照明制御システムにおける各装置の連携動作例２を示すシーケンス図である。
【図８】実施の形態２に係る照明制御システムの概略構成図である。
【図９】実施の形態２に係る照明制御システムにおける制御装置及び照明装置の機能ブロック図である。
【図１０】実施の形態２に係る制御装置が記録する照明状態情報の一例を示す図である。
【図１１】実施の形態２に係る制御装置による照明制御処理の一例を示すフローチャートである。
【図１２】実施の形態２に係る照明制御システムにおける各装置の連携動作例１を示すシーケンス図である。
【図１３】実施の形態２に係る照明制御システムにおける各装置の連携動作例２を示すシーケンス図である。
【図１４】他の実施の形態に係る照明制御システムの概略構成図である。
【発明を実施するための形態】
【００１２】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
以下、本発明の一実施形態に係る照明制御システムについて説明する。
【００１４】
（構成）
図１は、本実施の形態に係る照明制御システム１０の概略構成を示す図である。照明制御システム１０は、各種生活シーンに応じて複数の照明装置の点灯状態を一括して変更するためのシーン制御機能を有するシステムの一例である。ここでは、住宅２０内に設置された複数の照明装置２００ａ〜２００ｃを制御するための照明制御システム１０について説明する。
【００１５】
照明制御システム１０は、図１に示すように、制御装置１００、照明装置２００ａ〜２００ｃを含んで構成される。なお、照明制御システム１０は、複数の照明装置を含むものであれば照明装置を何台含んでもよく、照明装置２００ａ〜２００ｃ以外にも照明装置を含み得るが、ここでは、説明の便宜上、照明装置２００ａ〜２００ｃに注目して説明する。
【００１６】
照明装置２００ａ〜２００ｃの各々は、通信機能を有し、照明部（光源等）の点灯状態を変化させ得る照明器具であり、例えば調光度、発光色、配光等の１つ以上を変化させ得る。照明装置２００ａ〜２００ｃの各々は、制御情報（例えば制御コマンド、パラメータ、或いは、シーン番号等）を受信することによりその制御情報に従って、点灯状態を、予め定められた点灯状態へと変更する機能を有する。以下、シーン制御に対応して予め定められた点灯状態をシーン用点灯状態と称する。照明装置２００ａ〜２００ｃの各々は、図１に示すように、住宅２０の壁スイッチ（ＳＷ）２０１ａ〜２０１ｃと接続されており、壁ＳＷがオン状態であれば、例えば電力系統から住宅２０に供給された交流電源から給電される。壁ＳＷ２０１ａ〜２０１ｃの各々は、ユーザ（住宅２０の住人等）により操作され、操作に応じて照明装置２００ａ〜２００ｃの各々が電源オン状態（給電されている状態）か電源オフ状態（給電されていない状態）かに切り替えられる。
【００１７】
制御装置１００は、通信により照明装置２００ａ〜２００ｃを制御する機能を有するコンピュータであり、例えば、ユーザに携帯されるスマートフォン、タブレット等、或いは、据え置き型の装置等である。制御装置１００は、タイマー等の計時機構、通信インタフェース、ユーザインタフェース、メモリ及びプロセッサ（マイクロプロセッサ）等を含んで構成される。通信インタフェースは、無線通信或いは有線通信のための通信回路等である。通信インタフェースにより、制御装置１００は、照明装置２００ａ〜２００ｃ等と通信可能である。制御装置１００と照明装置２００ａ〜２００ｃの各々とは、相互に通信するために必要な情報（装置識別用の情報等）を予め保持し得る。メモリは、プログラム及びデータを予め保持しているＲＯＭ、プログラムの実行に際してデータ等の記憶に利用するためのＲＡＭ等であり、例えば不揮発性メモリを含んでいてもよい。なお、制御装置１００は、メモリの他にハードディスク装置等の記憶装置を含んでもよい。プロセッサは、メモリに格納されたプログラム（制御プログラム）を実行することにより通信インタフェース等を制御して、照明制御処理等といった各種処理を行う。制御装置１００のユーザインタフェースは、例えば、ユーザ操作を受け付ける等のための入力装置（タッチパネル、キーボード、或いは、音声入力装置等）であり、また、制御装置１００はユーザインタフェースとしてディスプレイを有してもよい。また、制御装置１００は、通信インタフェースを用いて、例えば、操作ボタンを有し赤外線等のリモコン信号を送信するリモコン（リモートコントローラ）等といった他の端末装置と通信することで、その端末装置を制御装置１００の入力装置として利用してもよい。ここでは、入力装置を介してのユーザ操作については、説明の便宜上、シーン制御に関連するユーザ操作であるシーン操作に注目して説明する。
【００１８】
制御装置１００は、ユーザ操作（シーン操作）に基づいて、即時又はタイマー設定された時刻に、照明装置２００ａ〜２００ｃの各々に対して制御情報を送信することで各照明装置をその照明装置について定められたシーン用点灯状態にするシーン制御機能を有する。制御装置１００によるシーン制御のための制御情報の送信に対して、照明装置２００ａ〜２００ｃのうち電源オン状態の照明装置は制御情報を受信してシーン用点灯状態へと変化するが、電源オフ状態の照明装置は、制御情報を受信せずシーン用点灯状態にならない。制御装置１００は、この電源オフ状態の照明装置が電源オン状態になった際に、一定条件下でその照明装置を自動的に（つまり、その際に制御装置１００へのユーザ操作を必要とせずに）、シーン用点灯状態へと導く機能（シーン同調制御機能）を有する。
【００１９】
図２は、制御装置１００及び照明装置２００ａ〜２００ｃの機能ブロック図である。
【００２０】
制御装置１００は、上述の機能（シーン制御機能及びシーン同調制御機能）を実現するために、機能面では、図２に示すように基本制御部１１０、同調制御部１２０、シーン制御内容記憶部１３０、及び、操作部１４０を備える。
【００２１】
基本制御部１１０は、例えば制御装置１００の通信インタフェース、計時機構、及び、制御プログラムを実行するプロセッサにより実現される。基本制御部１１０は、シーン制御機能を担う。即ち、基本制御部１１０は、操作部１４０が受け付けたユーザ操作に応じて、シーン制御内容記憶部１３０が保持するシーン制御内容テーブルを参照して照明装置２００ａ〜２００ｃに送信すべき制御情報を特定して、制御情報を送信する。ユーザ操作でタイマー設定がなされた場合には、基本制御部１１０は、制御情報の送信をそのタイマー設定に従った時刻が到来した時に行う。即ち、基本制御部１１０は、照明装置２００ａ〜２００ｃのうち電源オン状態の照明装置各々をその照明装置のシーン用点灯状態にするシーン制御を実行する。なお、基本制御部１１０は、照明装置２００ａ〜２００ｃのいずれかを対象とする個別の点灯制御のためのユーザ操作に応じて、その対象の照明装置に送信すべき制御情報（制御コマンド、パラメータ等）を特定して、制御情報を送信する個別制御機能を有し得る。本実施の形態ではシーン制御機能に注目して説明を行う。
【００２２】
操作部１４０は、ユーザ操作を受けて基本制御部１１０に伝達する機能を有し、例えば制御装置１００のユーザインタフェース（入力装置）で実現される。
【００２３】
シーン制御内容記憶部１３０は、例えば制御装置１００におけるメモリ、ハードディスク装置等の記憶媒体の一領域で実現される。シーン制御内容記憶部１３０は、シーン制御内容テーブルを保持する。シーン制御内容テーブルは、基本制御部１１０及び同調制御部１２０により参照される。図３は、シーン制御内容記憶部１３０が保持するシーン制御内容テーブルの一例を示す図である。シーン制御内容テーブルは、照明装置２００ａ〜２００ｃの各々に対してその照明装置のシーン用点灯状態にするための制御内容を、シーン毎（シーンを識別するためのシーン番号毎）に規定した情報である。シーン制御内容テーブルには、シーン番号から照明装置２００ａ〜２００ｃの各々に対して、シーン用点灯状態にするために送信すべき制御情報を特定するために必要な情報が含まれている。図３では、制御内容の例として調光度を示したが、調光度の他に発光色等を指定する内容であってもよい。また、図３での調光度の例は、最大の明るさで点灯した状態（全点灯状態）が１００％となるように定めている。調光度については、例えば、光度、輝度等で表してもよい。基本制御部１１０は、シーン番号を指定したシーン操作に基づいて、シーン制御内容テーブルから各照明装置に対して送信すべき制御情報（例えば制御コマンド、パラメータ等）を特定できる。なお、基本制御部１１０は、照明装置２００ａ〜２００ｃの各々に一度、シーン番号とその照明装置における制御内容との対応関係を示すテーブルを送信しておいて各照明装置にそのテーブルを保持させてもよい。この後には、基本制御部１１０は、シーン番号を制御情報として送信することで各照明装置を制御可能となる。
【００２４】
同調制御部１２０は、例えば制御装置１００の通信インタフェース、計時機構、及び、制御プログラムを実行するプロセッサにより実現される。同調制御部１２０は、シーン同調制御機能を担う。同調制御部１２０は、照明装置２００ａ〜２００ｃのいずれかの照明装置が電源オン状態になった際に送信する復電通知を受信した場合に、シーン制御に関連したシーン同調制御の必要性を判定する。この判定結果に基づき同調制御部１２０は、一定条件下で復電通知の送信元の照明装置に、その照明装置をシーン用点灯状態にさせるための制御情報を送信する。例えば、基本制御部１１０により各照明装置をシーン３（シーン番号が３）に対応したシーン用点灯状態で点灯させるためのシーン制御が行われた後において照明装置２００ｃから復電通知が受信されたとする。この場合には、同調制御部１２０は一定条件下で、照明装置２００ｃに、シーン制御内容テーブルを参照してシーン３に対応したシーン用点灯状態にするための制御情報を送信する。つまり、同調制御部１２０は、照明装置２００ａ〜２００ｃのうち基本制御部１１０よるシーン制御の実行時に電源オフ状態であった照明装置（特定照明装置と称する）が、電源オン状態になった際（給電された際）に、一定条件下で特定照明装置をそのシーン制御に対応したシーン用点灯状態にするよう制御する。特定照明装置が電源オン状態になった際に送信する復電通知は、予め定められた、シーン制御に係る制御情報の要求のための要求信号である。但し、同調制御部１２０は、基本制御部１１０がシーン制御を実行してから所定時間Ｔ（例えば数十分、数時間等）内において要求信号（復電通知）を受信した場合に限ってシーン制御のための制御情報を送信する。一方、その所定時間Ｔの経過後に要求信号を受信した場合にはシーン制御が不要であることを示す情報を送信する。つまり、同調制御部１２０は、基本制御部１１０がシーン制御を実行してから所定時間Ｔ内において特定照明装置が電源オン状態になった場合には、特定照明装置をシーン用点灯状態にするために制御情報の送信による制御を行い、その所定時間Ｔの経過後に特定照明装置が電源オン状態になった場合にはその制御を行わない。
【００２５】
照明装置２００ａ〜２００ｃのそれぞれは、形状、大きさ等において互いに異なり得るが、いずれも機能面においては図２に示す機能構成要素を含んでいる。照明部２１０ａ〜２１０ｃはいずれも同様の照明機能を有し、通信部２２０ａ〜２２０ｃはいずれも、制御装置１００と通信するための、同様の通信機能を有し、照明制御部２３０ａ〜２３０ｃはいずれも同様に各照明部を制御する機能を有する。なお、図２では、一例として、照明装置２００ａ及び照明装置２００ｂが制御装置１００の基本制御部１１０によるシーン制御の時点で電源オン状態であって制御情報が、基本制御部１１０から伝達されることを矢線で示している。また、一例として、照明装置２００ｃがシーン制御の時点の後に電源オン状態となって要求信号を送信して同調制御部１２０からの情報を受信し得ることを矢線で示している。
【００２６】
照明装置２００ａは、図２に示すように、照明部２１０ａ、通信部２２０ａ、及び、照明制御部２３０ａを備える。
【００２７】
照明部２１０ａは、例えば、１つ又は複数のＬＥＤ（Light Emitting Diode）等の光源を含んで構成される。ＬＥＤは、輝度を調整可能であり、例えば多色発光可能であって照明制御部２３０ａの制御下で特定の色で発光するものであってもよい。
【００２８】
通信部２２０ａは、通信インタフェース等であり、制御装置１００から送信される制御情報を受信して照明制御部２３０ａに伝達する機能を有し、照明制御部２３０ａの指示を受けて要求信号を制御装置１００へ送信する機能を有する。
【００２９】
照明制御部２３０ａは、照明部２１０ａの光源に電気的に接続された電子回路により構成され、例えばプログラムを実行するプロセッサ等の半導体集積回路を含んでいてもよい。照明制御部２３０ａは、通信部２２０ａから伝達された制御情報に応じて、照明部２１０ａを特定の点灯状態で点灯させ、或いは、消灯させるよう制御する機能を有する。制御情報が、予め定められた制御コマンド、パラメータ等である場合においては、その制御情報に従って、照明制御部２３０ａは、照明部２１０ａによる点灯を制御する。また、例えば制御情報がシーン番号を含む場合において、照明制御部２３０ａは、予め各シーン番号に対応した制御内容を示すテーブルを保持しておいて、そのテーブルに従って照明部２１０ａによる点灯を制御してもよい。なお、照明制御部２３０ａは、例えば、制御装置１００から、シーン番号と照明装置２００ａにおける制御内容との対応関係を示すテーブルが送信された場合に、そのテーブルを、通信部２２０ａを介して取得してもよい。この場合には、照明制御部２３０ａはその後においてシーン番号を含む制御情報を取得した際にそのテーブルに基づいてシーン番号に対応した制御内容で照明部２１０ａの点灯に係る制御を行ってもよい。照明制御部２３０ａは、例えば、照明部２１０ａの発光色、輝度等を変更し得る。また照明制御部２３０ａは要求部２３１ａを有する。要求部２３１ａは、例えば照明装置２００ａが電源オフ状態から電源オン状態になった際に、制御装置１００に対して通信部２２０ａに予め定められた要求信号（復電通知）を送信させる機能を有する。
【００３０】
照明装置２００ｂ、２００ｃは、概ね照明装置２００ａと同様の構成を備える。
【００３１】
（動作）
以下、上述の構成を備える照明制御システム１０の動作例について、制御装置１００の動作を中心に説明する。
【００３２】
図４は、制御装置１００による照明制御処理の一例を示すフローチャートである。以下、図４に即して照明制御処理を説明する。
【００３３】
制御装置１００は、基本制御部１１０により、ユーザ操作に基づくシーン制御タイミングが到来したか否かを判断する（ステップＳ１１）。シーン制御タイミングは、ユーザによりタイマー設定を示すシーン操作が行われた場合には、そのタイマー設定に従った時刻が到来した時点である。また、シーン制御タイミングは、ユーザによりタイマー設定ではないシーン操作が行われた場合には、そのシーン操作が操作部１４０から基本制御部１１０に伝達された時点である。
【００３４】
ステップＳ１１でシーン制御タイミングが到来したと判断した場合には、基本制御部１１０は、照明装置２００ａ〜２００ｃに対してシーン制御のための制御情報を送信することでシーン制御を行う（ステップＳ１２）。また、ステップＳ１１でシーン制御タイミングが到来していないと判断した場合には、基本制御部１１０は、ステップＳ１２をスキップし、シーン制御を行わない。
【００３５】
続いて、制御装置１００は、同調制御部１２０により、照明装置２００ａ〜２００ｃのいずれかから要求信号（復電通知）を受信した場合には（ステップＳ１３）、一定条件下で制御情報の送信のための処理（ステップＳ１４〜Ｓ１６）を行う。一方、要求信号を受信していない場合にはステップＳ１４〜Ｓ１６をスキップしてステップＳ１１に戻る。
【００３６】
ステップＳ１４では、同調制御部１２０は、基本制御部１１０によるシーン制御から所定時間Ｔ（例えば数十分、数時間等）が経過したか否かを判別する。ステップＳ１４で、所定時間Ｔが過ぎていないと判別した場合には、同調制御部１２０は、ステップＳ１３で受信した要求信号の送信元の照明装置に、そのシーン制御がなされた他の照明装置と同調させる制御を行うべく制御情報を送信する（ステップＳ１５）。ステップＳ１５で送信される制御情報は、例えば、その直前（所定時間Ｔ内）にシーン制御で送信された制御情報と同様の内容であり得る。例えば、シーン制御で送信された制御情報がシーン３を示すものであれば、ステップＳ１５で送信される制御情報もシーン３を示すものであり得る。この代わりに、要求信号の送信元の照明装置のシーン３に対応するシーン用点灯状態が例えば調光度５０％の点灯状態の場合には、ステップＳ１５で送信される制御情報は、調光度５０％の点灯状態に制御するための制御コマンド、パラメータ等の情報であってもよい。
【００３７】
一方、ステップＳ１４で、所定時間Ｔが経過していると判別した場合には、同調制御部１２０は、ステップＳ１３で受信した要求信号の送信元の照明装置に、シーン制御が不要であることを示す情報を送信する（ステップＳ１６）。なお、このステップＳ１６との関係から、所定時間Ｔとして、シーン制御により一括して複数の照明装置の点灯状態を変更した後にその制御が継続されるべき時間が、定められていることが有用である。なお、この所定時間Ｔを、シーン毎（つまりシーン制御に係るシーン番号毎）に個別に定めてもよい。
【００３８】
制御装置１００は、ステップＳ１５或いはステップＳ１６での処理の後には、ステップＳ１１に戻る。
【００３９】
上述の照明制御処理によって制御され得る照明装置２００ａ〜２００ｃのそれぞれは、例えば図５に示すように動作する。ここでは、図５に即して一台の照明装置２００ａの動作について説明する。
【００４０】
照明装置２００ａは、例えば壁ＳＷ２０１ａがオン状態にされて給電が開始されると、要求部２３１ａ及び通信部２２０ａにより、制御装置１００への要求信号（復電通知）の送信を行う（ステップＳ２１）。
【００４１】
続いて照明装置２００ａは、照明制御部２３０ａにより、所定基準より暗い点灯状態で照明部２１０ａを点灯させるように制御する（ステップＳ２２）。所定基準は全点灯状態より暗いように定めたものであり、例えば、調光度１０％等である。照明装置２００ａは、電源オン状態になって直ちに既定（デフォルト）の点灯状態になるのではなく、ステップＳ２２によって、例えば、調光度１０％未満の明るさで、比較的暗い点灯状態になる。既定の点灯状態は、例えば全点灯状態である。なお、既定の点灯状態は、全点灯状態以外の予め定められた点灯状態であってもよいし、前回の点灯状態（消灯前の点灯状態）であってもよい。
【００４２】
次に、照明装置２００ａは、照明制御部２３０ａにより、ステップＳ２１での要求信号の送信から一定時間が経過するまでに（ステップＳ２３）、制御装置１００からシーン制御が不要であることを示す情報を受信したか（ステップＳ２４）、制御装置１００から要求信号に応じた制御情報を受信したか（ステップＳ２５）を判定する。要求信号の送信から一定時間が経過するまでにシーン制御が不要であることを示す情報を受信した場合には、照明制御部２３０ａは、既定の点灯状態にするように照明部２１０ａを制御する（ステップＳ２７）。また、要求信号の送信から一定時間が経過するまでに制御情報を受信した場合には、照明制御部２３０ａは、制御情報に応じた点灯状態にするように照明部２１０ａを制御する（ステップＳ２６）。また、制御情報或いはシーン制御が不要であることを示す情報を受信できずに要求信号の送信から一定時間が経過した場合には、照明制御部２３０ａは、既定の点灯状態にするように照明部２１０ａを制御する（ステップＳ２７）。ステップＳ２６又はステップＳ２７での処理により、照明装置２００ａが電源オン状態になった際の一連の処理が完了する。
【００４３】
そしてステップＳ２６或いはステップＳ２７での処理の後には、照明装置２００ａは、制御情報の受信確認（ステップＳ２８）を繰り返す状態に移る。照明装置２００ａは、ステップＳ２８で制御情報を受信すると、照明制御部２３０ａにより、照明部２１０ａをその制御情報に応じた点灯状態へと変更する（ステップＳ２９）。
【００４４】
照明装置２００ｂ、２００ｃも、上述した照明装置２００ａの動作と同様に動作を行い得る。
【００４５】
以下、上述の動作を行う照明制御システム１０の各装置の連携動作の例について説明する。
【００４６】
図６は、照明制御システム１０に係る連携動作例１を示すシーケンス図である。以下、同図に係るシーケンスを説明する。
【００４７】
制御装置１００は、ユーザ操作（シーン操作）に基づいて、ユーザ操作時点或いはタイマー設定に従った時刻が到来した時にシーン制御を行う。ここでは、ユーザは夜間に映像コンテンツ鑑賞等のために周囲の照明装置２００ａ〜２００ｃの明るさを少し抑えるべく、照明装置２００ａ〜２００ｃを一括してシーン３（図３参照）に対応したシーン用点灯状態にする例を用いて、説明する。
【００４８】
制御装置１００は、シーン制御によりシーン３を示す制御情報を照明装置２００ａ〜２００ｃに向けて送信する（ステップＳ１０１）。この時、図１の壁スイッチ（ＳＷ）２０１ａ〜２０１ｃに示すように、照明装置２００ａ及び照明装置２００ｂは電源オン状態であるが、照明装置２００ｃは電源オフ状態であるとする。このため、ステップＳ１０１で送信された制御情報は、照明装置２００ａ及び照明装置２００ｂには受信されるが、照明装置２００ｃには受信されない。
【００４９】
照明装置２００ａは、制御情報を受信すると、シーン３に対応するシーン用点灯状態となるように照明部２１０ａの点灯状態を変更する（ステップＳ１０２ａ）。また、照明装置２００ｂは、制御情報を受信すると、シーン３に対応するシーン用点灯状態となるように照明部２１０ｂの点灯状態を変更する（ステップＳ１０２ｂ）。このとき、照明装置２００ｃは電源オフ状態のため、消灯している。
【００５０】
ステップＳ１０１での制御情報の送信（シーン制御）から予め定められている所定時間Ｔ内に、ユーザにより壁ＳＷ２０１ｃがオン状態へと切り替えられると照明装置２００ｃは電源オン状態（給電されている状態）となる。これにより、照明装置２００ｃは、制御装置１００に要求信号（復電通知）を送信して（ステップＳ１０３）、比較的暗い点灯状態（例えば調光度１０％未満の状態）で点灯する（ステップＳ１０４）。これは照明装置２００ｃが即座に全点灯状態で点灯することに比べて、ユーザの生活シーン（この例では映像コンテンツ鑑賞のシーン）への悪影響が少ない。
【００５１】
そして、制御装置１００は、シーン制御から所定時間Ｔ内に要求信号を受信したので、シーン３を示す制御情報を照明装置２００ｃへと送信する（ステップＳ１０５）。この制御情報を受信すると照明装置２００ｃは、シーン３に対応したシーン用点灯状態へと切り替えて、調光度５０％で点灯する（ステップＳ１０６）。これにより、シーン操作に基づいてシーン制御がなされた後に照明装置２００ｃを電源オン状態にしたユーザが、再びシーン操作を行わなくても、自動的に照明装置２００ｃがシーンに同調してシーン用点灯状態へと変化する。
【００５２】
図７は、照明制御システム１０に係る連携動作例２を示すシーケンス図である。以下、同図に係るシーケンスを説明する。なお、図７において上述した図６と同様の処理ステップについては同じ符号を付しており、ここでは適宜説明を省略する。
【００５３】
図７では、照明装置２００ｃが電源オン状態になった時刻が図６の例より遅く、シーン制御がなされてから所定時間Ｔが経過した後に照明装置２００ｃが電源オン状態になった例を示している。
【００５４】
ステップＳ１０１での制御情報の送信（シーン制御）から予め定められている所定時間Ｔが経過した後に、ユーザにより壁ＳＷ２０１ｃがオン状態へと切り替えられると照明装置２００ｃは電源オン状態となる。これにより、照明装置２００ｃは、制御装置１００に要求信号を送信して（ステップＳ１０３）、比較的暗い点灯状態で点灯する（ステップＳ１０４）。
【００５５】
そして、制御装置１００は、シーン制御から所定時間の経過後に要求信号を受信したので、シーン制御が不要であることを示す情報を照明装置２００ｃへと送信する（ステップＳ１０７）。この情報を受信すると照明装置２００ｃは、照明部２１０ｃの点灯状態を、既定の点灯状態（例えば全点灯状態或いは消灯前の点灯状態等）へと切り替える（ステップＳ１０８）。これにより、シーン操作に基づいてシーン制御がなされた後、所定時間Ｔ（例えばシーン制御を継続する必要がないと想定される程度の時間等）が経過した場合には、ユーザは照明装置２００ｃを電源オン状態にすることで既定の点灯状態にさせることが可能となる。
【００５６】
（実施の形態２）
以下、実施の形態１で示した照明制御システム１０の一部を変形してなる照明制御システム１０ａについて説明する。
【００５７】
（構成）
図８は、本実施の形態に係る照明制御システム１０ａの概略構成を示す図である。照明制御システム１０ａは、実施の形態１で示した制御装置１００の一部を変形した制御装置１００ａと、リモコン３００とを備え、実施の形態１で示した照明装置２００ａ〜２００ｃを含んで構成される。
【００５８】
制御装置１００ａは、制御装置１００と同様に、通信により照明装置２００ａ〜２００ｃを制御する機能を有するコンピュータである。ここで特に説明しない点については、制御装置１００ａは制御装置１００と同様である。制御装置１００ａは、通信インタフェースを用いて、例えば、操作ボタンを有し赤外線等のリモコン信号を送信するリモコン３００と通信することで、そのリモコン３００に対するユーザ操作に係る情報を取得し得る。制御装置１００ａの通信インタフェースは、照明装置２００ａ〜２００ｃとの通信とリモコン３００との通信とに、例えば互いに異なる通信方式（通信プロトコル）を利用して通信し得る。
【００５９】
照明制御システム１０ａではリモコン３００でのユーザ操作に応じて制御装置１００ａが照明装置２００ａ〜２００ｃを制御し得る。本実施の形態においても実施の形態１と同様に照明装置２００ａ〜２００ｃの各々は、住宅２０の壁スイッチ（ＳＷ）２０１ａ〜２０１ｃと接続されており、壁ＳＷがオン状態であれば給電される。
【００６０】
制御装置１００ａは、制御装置１００と同様に、シーン制御後に電源オフ状態の照明装置が電源オン状態になった際に、一定条件下でその照明装置を自動的にシーン用点灯状態へと導く機能（シーン同調制御機能）を有する。制御装置１００では、シーン制御から所定時間Ｔ内に照明装置が電源オン状態になること（具体的には所定時間Ｔ内に要求信号を受信すること）をその照明装置をシーン用点灯状態へと導く条件としていた。制御装置１００と相違し、制御装置１００ａでは、シーン制御から所定時間Ｔ内であり且つシーン制御の継続中である時において照明装置が電源オン状態になることを、その照明装置をシーン用点灯状態へと導く条件としている。
【００６１】
図９は、制御装置１００ａ及び照明装置２００ａ〜２００ｃの機能ブロック図である。
【００６２】
制御装置１００ａは、機能面では、図９に示すように基本制御部１１０ａ、同調制御部１２０ａ、シーン制御内容記憶部１３０、リモコン信号受信部１５０、及び、照明状態情報格納部１６０を備える。図９において図２と同様の構成要素は、図２と同じ符号を付しており、ここでの説明を省略する。
【００６３】
リモコン信号受信部１５０は、リモコン３００からユーザ操作に応じたリモコン信号を受けて、ユーザ操作に係る指示を基本制御部１１０に伝達する機能を有し、例えば制御装置１００ａの通信インタフェースで実現される。
【００６４】
基本制御部１１０ａは、実施の形態１で示した基本制御部１１０の一部を変形したものであり、基本制御部１１０と同様の機能（シーン制御機能、個別制御機能）を含む。基本制御部１１０ａは、基本制御部１１０の機能に加えて、制御した制御装置の制御内容を記録（更新）する機能を有する。即ち、基本制御部１１０ａは、シーン制御で各照明装置を一括して制御した場合或いは個別制御で特定の照明装置を制御した場合のいずれにおいても照明状態情報格納部１６０に格納する照明状態情報のうち、制御した照明装置の制御内容を更新する機能を有する。基本制御部１１０ａは、ここで特に説明しない点については基本制御部１１０と同様である。
【００６５】
照明状態情報格納部１６０は、例えば制御装置１００ａにおけるメモリ、ハードディスク装置等の記憶媒体の一領域で実現される。照明状態情報格納部１６０は、照明状態情報を格納するために用いられる。照明状態情報は、基本制御部１１０ａにより、照明装置２００ａ〜２００ｃの点灯状態の制御の度に随時更新され、同調制御部１２０ａにより参照される。図１０は、照明状態情報格納部１６０に格納される照明状態情報の一例を示す図である。照明状態情報は、照明装置２００ａ〜２００ｃの各々について、その照明装置に対して制御装置１００ａが制御した制御内容を記録した情報である。図１０の例では、基本制御部１１０ａにより、照明装置２００ａに対して調光度５０％にする制御が行われ、照明装置２００ｂに対して調光度１００％にする制御が行われ、更に、照明装置２００ｃに対して調光度５０％にする制御が行われた時点での照明状態情報を示している。
【００６６】
同調制御部１２０ａは、実施の形態１で示した同調制御部１２０の一部を変形したものであり、シーン同調制御機能を担う。同調制御部１２０ａは、照明装置２００ａ〜２００ｃのいずれかの照明装置が電源オン状態になった際に送信する要求信号（復電通知）を受信した場合に、シーン制御に関連したシーン同調制御の必要性を判定する。この判定結果に基づいて同調制御部１２０ａは一定条件下で、要求信号の送信元の照明装置に、その照明装置をシーン用点灯状態にさせるための制御情報を送信する。同調制御部１２０ａは、基本制御部１１０ａがシーン制御を実行してから所定時間Ｔ（例えば数十分、数時間等）内で且つシーン制御が継続中である時において要求信号（復電通知）を受信した場合に限ってシーン制御のための制御情報を送信する。一方、同調制御部１２０ａは、その所定時間Ｔの経過後或いはシーン制御が継続中でなくなった時点以後に要求信号を受信した場合にはシーン制御が不要であることを示す情報を送信する。このシーン同調制御の条件判断のために同調制御部１２０ａは、シーン制御が継続中であるか否かを判定する。同調制御部１２０ａは、シーン制御後つまり点灯状態の一括制御後においてシーン用点灯状態となった照明装置のいずれかがユーザ操作に基づき個別制御されて別の点灯状態に変化していると、シーン制御が継続中でなくなったと判定する。具体的には、同調制御部１２０ａは、この判定に、シーン制御内容記憶部１３０が保持するシーン制御内容テーブルと、照明状態情報格納部１６０に格納された照明状態情報とを用いる。シーン制御内容テーブルが示す、シーン制御に用いたシーン番号に対応する各照明装置の制御内容と、照明状態情報における対応する照明装置の制御内容とが一致すれば、同調制御部１２０ａは、シーン制御が継続中であると判定し、一致しなければシーン制御が継続中でなくなったと判定する。即ち、同調制御部１２０ａは、基本制御部１１０ａがシーン制御を実行してから所定時間Ｔ内において、特定照明装置（シーン制御時に電源オフ状態であった照明装置）が電源オン状態になった場合には、特定照明装置をシーン用点灯状態にするために制御情報の送信による制御を行うが、シーン制御によりシーン用点灯状態になった１台以上の照明装置の点灯状態が個別制御によりシーン用点灯状態と異なる状態に変更された後においては所定時間Ｔ内であっても、特定照明装置をシーン用点灯状態にするための制御を抑止する。なお、同調制御部１２０ａは、ここで特に説明しない点については同調制御部１２０と同様である。
【００６７】
（動作）
以下、上述の構成を備える照明制御システム１０ａの動作例について、制御装置１００ａの動作を中心に説明する。
【００６８】
図１１は、制御装置１００ａによる照明制御処理の一例を示すフローチャートである。以下、図１１に即して照明制御処理を説明する。
【００６９】
制御装置１００ａは、リモコン信号受信部１５０で受けたリモコン信号に基づき、基本制御部１１０ａにより、ユーザ操作が１台の照明装置の個別制御の指示を示すものか複数の照明装置の一括制御（シーン制御）の指示を示すものかを判定する（ステップＳ３１）。リモコン３００は、ユーザ操作に応じたリモコン信号を送信する。ユーザはリモコン３００に対して、例えば照明装置毎に予め対応付けた番号のボタンの操作と調光度を増加又は減少させるボタンの操作とにより個別制御の指示が可能である。また、ユーザはリモコン３００に対して、例えばシーン操作を示すボタンと、シーン毎のシーン番号に対応する番号のボタンの操作とによりシーン制御の指示が可能である。なお、これは一例であり、リモコン３００のユーザインタフェースはいかなるものであってもよい。
【００７０】
ステップＳ３１でユーザ操作が個別制御の指示を示すと判定した場合に基本制御部１１０ａは、該当の照明装置に対してユーザ操作に応じて制御内容を特定してその制御内容を示す制御情報（制御コマンド、パラメータ等）を送信することで個別制御を行う（ステップＳ３２）。これにより、照明装置２００ａ〜２００ｃのうち該当の照明装置は、制御情報を受信すると制御情報に応じた点灯状態へと変化する。基本制御部１１０ａは、ステップＳ３２での個別制御における制御内容を照明状態情報格納部１６０に記録する（ステップＳ３３）。この記録は、具体的には、照明状態情報における該当の照明装置についての制御内容の更新により実行される。制御装置１００ａは、ステップＳ３１で、ユーザ操作が個別制御の指示を示さないと判定した場合には、ステップＳ３２及びステップＳ３３をスキップする。
【００７１】
次に制御装置１００ａは、基本制御部１１０ａにより、ユーザ操作に基づくシーン制御タイミング（シーン操作時或いはシーン操作でのタイマー設定に従った時刻）が到来したか否かを判断する（ステップＳ３４）。ステップＳ３４は、実施の形態１で示したステップＳ１１と同様である。
【００７２】
ステップＳ３４でシーン制御タイミングが到来したと判断した場合には、基本制御部１１０ａは、照明装置２００ａ〜２００ｃに対してシーン制御のための制御情報を送信することでシーン制御を行う（ステップＳ３５）。基本制御部１１０ａは、ステップＳ３５でのシーン制御における制御内容を照明状態情報格納部１６０に記録する（ステップＳ３６）。この記録は、具体的には、照明状態情報における、シーン制御の対象となった各照明装置についての制御内容の更新により実行される。また、ステップＳ３４でシーン制御タイミングが到来していないと判断した場合には、基本制御部１１０ａは、ステップＳ３５及びステップＳ３６をスキップし、シーン制御及びその制御内容の記録を、行わない。
【００７３】
続いて、制御装置１００ａは、同調制御部１２０ａにより、照明装置２００ａ〜２００ｃのいずれかから要求信号（復電通知）を受信した場合には（ステップＳ３７）、一定条件下で制御情報の送信のための処理（ステップＳ３８〜Ｓ４１）を行う。一方、要求信号を受信していない場合にはステップＳ３８〜Ｓ４１をスキップしてステップＳ３１に戻る。
【００７４】
ステップＳ３８では、同調制御部１２０ａは、基本制御部１１０ａによるシーン制御から所定時間Ｔ（例えば数十分、数時間等）が経過したか否かを判別する。ステップＳ３８で、所定時間Ｔが過ぎていないと判別した場合には、同調制御部１２０ａは、シーン制御が継続中か否かを判定する（ステップＳ３９）。ステップＳ３９で、シーン制御が継続中であると判定した場合には、同調制御部１２０ａは、ステップＳ３７で受信した要求信号の送信元の照明装置に、そのシーン制御がなされた他の照明装置と同調させる制御を行うべく制御情報を送信する（ステップＳ４０）。ステップＳ４０は、実施の形態１で示したステップＳ１５と同様である。
【００７５】
一方、ステップＳ３８で所定時間Ｔが経過していると判別した場合及びステップＳ３９でシーン制御が継続中でないと判定した場合には、同調制御部１２０ａは、ステップＳ３７で受信した要求信号の送信元の照明装置に、シーン制御が不要であることを示す情報を送信する（ステップＳ４１）。ステップＳ４１は、実施の形態１で示したステップＳ１６と同様である。
【００７６】
制御装置１００ａは、ステップＳ４０或いはステップＳ４１での処理の後には、ステップＳ３１に戻る。
【００７７】
以下、上述の動作を行う照明制御システム１０ａの各装置の連携動作の例について説明する。
【００７８】
図１２は、照明制御システム１０ａに係る連携動作例１を示すシーケンス図である。以下、同図に係るシーケンスを説明する。
【００７９】
リモコン３００に対して、シーン３への変更に係るシーン制御を指示するユーザ操作（シーン操作）がなされ、リモコン３００はそのユーザ操作に係る指示を示すリモコン信号を制御装置１００ａに送信する（ステップＳ２０１）。
【００８０】
制御装置１００ａは、リモコン信号が示すユーザ操作（シーン操作）に係る指示に基づいて、ユーザ操作時点或いはタイマー設定に従った時刻が到来した時にシーン制御を行う。ここでは実施の形態１と同様に、ユーザが夜間に映像コンテンツ鑑賞等のために周囲の照明装置２００ａ〜２００ｃの明るさを少し抑えるべく、照明装置２００ａ〜２００ｃを一括してシーン３（図３参照）に対応したシーン用点灯状態にする例を用いて、説明する。
【００８１】
制御装置１００ａは、シーン制御によりシーン３を示す制御情報を照明装置２００ａ〜２００ｃに向けて送信する（ステップＳ２０２）。この時、照明装置２００ａ及び照明装置２００ｂは電源オン状態であるが、照明装置２００ｃは電源オフ状態であるとする。このため、ステップＳ２０２で送信された制御情報は、照明装置２００ａ及び照明装置２００ｂには受信されるが、照明装置２００ｃには受信されない。
【００８２】
照明装置２００ａは、制御情報を受信すると、シーン３に対応するシーン用点灯状態となるように照明部２１０ａの点灯状態を変更する（ステップＳ２０３ａ）。また、照明装置２００ｂは、制御情報を受信すると、シーン３に対応するシーン用点灯状態となるように照明部２１０ｂの点灯状態を変更する（ステップＳ２０３ｂ）。このとき、照明装置２００ｃは電源オフ状態のため、消灯している。
【００８３】
ステップＳ２０２での制御情報の送信（シーン制御）から予め定められている所定時間Ｔ内に、ユーザにより壁ＳＷ２０１ｃがオン状態へと切り替えられると照明装置２００ｃは電源オン状態となる。これにより、照明装置２００ｃは、制御装置１００ａに要求信号（復電通知）を送信して（ステップＳ２０４）、比較的暗い点灯状態（例えば調光度１０％未満の状態）で点灯する（ステップＳ２０５）。この例では、シーン制御からステップＳ２０４の前までにおいて、照明装置２００ａ或いは照明装置２００ｂに対する個別制御がなされていないものとして説明を続ける。
【００８４】
制御装置１００ａは、シーン制御から所定時間Ｔ内であってシーン制御が継続中である状態において要求信号を受信したので、シーン３を示す制御情報を照明装置２００ｃへと送信する（ステップＳ２０６）。この制御情報を受信すると照明装置２００ｃは、シーン３に対応したシーン用点灯状態へと切り替えて、調光度５０％で点灯する（ステップＳ２０７）。これにより、シーン操作に基づいてシーン制御がなされた後に照明装置２００ｃを電源オン状態にしたユーザが、再びシーン操作を行わなくても、自動的に照明装置２００ｃがシーンに同調してシーン用点灯状態へと変化する。
【００８５】
図１３は、照明制御システム１０ａに係る連携動作例２を示すシーケンス図である。以下、同図に係るシーケンスを説明する。なお、図１３において上述した図１２と同様の処理ステップについては同じ符号を付しており、ここでは適宜説明を省略する。
【００８６】
図１３では、シーン制御がなされた後に、照明装置２００ｂに対する個別制御により、シーン制御が継続中でなくなり、その後に照明装置２００ｃが電源オン状態になった例を示している。
【００８７】
ステップＳ２０２でのシーン制御の後において、ユーザにより個別制御の指示に係る操作がなされるとリモコン３００はその個別制御の指示を示すリモコン信号を制御装置１００ａに送信する（ステップＳ２０８）。ここでは、ユーザ操作により、個別制御の指示として、照明装置２００ｂを調光度１００％の点灯状態にする指示がなされたものとする。
【００８８】
制御装置１００ａは、リモコン信号が示すユーザ操作に係る指示に基づいて、個別制御の対象となる照明装置２００ｂに対して制御情報（調光度１００％にするための制御コマンド、パラメータ等）を送信する（ステップＳ２０９）。これにより、照明装置２００ｂは、制御情報を受信すると、調光度１００％となるように照明部２１０ｂの点灯状態を変更する（ステップＳ２１０）。
【００８９】
ステップＳ２０２でのシーン制御から所定時間Ｔ内において、ユーザにより壁ＳＷ２０１ｃがオン状態へと切り替えられると照明装置２００ｃは電源オン状態となる。これにより、照明装置２００ｃは、制御装置１００ａに要求信号を送信して（ステップＳ２０４）、比較的暗い点灯状態で点灯する（ステップＳ２０５）。
【００９０】
制御装置１００ａは、ステップＳ２０４で照明装置２００ｃから送信された要求信号を受信した時点では、照明状態情報格納部１６０に格納された照明状態情報は、シーン３に対応した制御内容とは照明装置２００ｂの制御内容が異なっている（例えば図１０に例示する内容となっている）。これはシーン制御が継続中でなくなったことを示している。
【００９１】
このため、制御装置１００ａは、要求信号を受信した時点がシーン制御から所定時間Ｔ内ではあるが、シーン制御が継続中でなくなった後であるので、シーン制御が不要であることを示す情報を照明装置２００ｃへと送信する（ステップＳ２１１）。この情報を受信すると照明装置２００ｃは、照明部２１０ｃの点灯状態を、既定の点灯状態（例えば全点灯状態或いは消灯前の点灯状態等）へと切り替える（ステップＳ２１２）。このように照明制御システム１０ａでは、シーン制御後に、ユーザが特定の照明装置をシーン用点灯状態でない点灯状態へと変更する個別制御を指示すると、その後に電源オン状態になった照明装置をシーン制御へ同調させる必要性が失われたものと取り扱う。このため、シーン制御後に照明装置２００ｂを個別制御した後においては、ユーザは、照明装置２００ｃを電源オン状態にすることで照明装置２００ｃを既定の点灯状態にさせることが可能となる。
【００９２】
（他の実施の形態等）
以上、実施の形態１、２により照明制御システム１０、１０ａについて説明したが、上述した実施の形態は一例に過ぎず、各種の変更、付加、省略等が可能であることは言うまでもない。
【００９３】
上述の実施の形態では、住宅２０内に設置された複数の照明装置２００ａ〜２００ｃを制御するための照明制御システム１０、１０ａを示した。しかし、これは一例に過ぎず、照明制御システム１０、１０ａは、住宅２０以外の施設（店舗、事務所、病院、ビルディング、駅舎、競技場等）における複数の照明装置を制御するために用いられるシステムであってもよい。
【００９４】
上述の実施の形態では、制御装置１００、１００ａが保持するシーン制御内容テーブルに、複数のシーンについてシーン番号毎の制御内容が含まれる例を示したが、シーンは１つしかなくてもよい。シーンが１つしかない場合においては、制御装置１００、１００ａは、ユーザ操作に応じて複数の照明装置の点灯状態を、各照明装置について予め定められた１つのシーン用点灯状態へと、一括制御する機能を有すればよい。
【００９５】
また、上述の実施の形態では、照明装置から復電通知（要求信号）を受信した場合においてシーン制御に同調させる条件が成立しない場合に、制御装置１００、１００ａが、シーン制御が不要であることを示す情報を送信することとした。シーン制御が不要である場合にそのことを示す情報を送信することは、照明装置側での処理の迅速化に有用となる。しかし、制御装置１００、１００ａは、シーン制御が不要であることを示す情報の送信（例えばステップＳ１６、Ｓ４１）を省略してもよい。また、そのシーン制御に同調させるための条件（要求信号に対してシーン制御に対応する制御情報を送信するための条件）として、シーン制御から所定時間Ｔ内であることという条件を省いてもよいし、他の条件を加えてもよい。
【００９６】
また、上述の実施の形態では、照明装置２００ａ〜２００ｃがシーン制御の対象となり得る例を示したが、制御装置１００、１００ａは、シーン制御の対象となることのない照明装置に対して個別制御のみを行い得る。
【００９７】
また、上述の実施の形態では、照明装置２００ａ〜２００ｃはいずれも電源オン状態になった際に復電通知（要求信号）を送信する要求部（例えば要求部２３１ａ〜２３１ｃ）としての機能を有することとした。しかし、照明装置２００ａ〜２００ｃのうちの１台又は複数台が、要求部としての機能を有さなくてもよい。但し要求部としての機能を有する照明装置のみが、シーン制御時点に遅れて電源オン状態になった場合に自動的にそのシーン制御に対応したシーン用点灯状態へと変化し得る。
【００９８】
また、上述の実施の形態で示した照明制御システム１０、１０ａにおける制御装置１００、１００ａは、独立した筐体等を有する装置であったが、制御装置と照明装置とが一体化していてもよい。一体化の態様は、接合、嵌合その他のいかなる態様であってもよい。例えば、制御装置と照明装置とが１つの筐体を共用してもよい。図１４は、３つの制御装置１００ａのそれぞれが、照明装置２００ａ〜２００ｃのそれぞれと一体化している例である照明制御システム１０ｂを示す。照明制御システム１０ｂにおいて、例えば、制御装置１００ａと一体化した照明装置２００ａ〜２００ｃのうち、給電された状態の１台の一体化した照明装置及び制御装置１００ａが、シーン制御及びシーン同調制御を行い得る。
【００９９】
また、上述の実施の形態で示した制御装置１００、１００ａの機能の一部を他の装置が分担してもよい。他の装置は、制御装置１００、１００ａから離れたコンピュータ（例えば、住宅２０外のサーバ装置、或いは、スマートフォン等）であってもよい。また、上述の制御装置１００、１００ａにおける照明制御処理の手順（図４、図１１参照）の実行順序は、必ずしも、上述した通りの順序に制限されるものではなく、発明の要旨を逸脱しない範囲で、実行順序を入れ替えたりその一部を省略したりすることができる。また、上述の照明制御処理の全部又は一部は、制御装置１００、１００ａ或いは他の装置のハードウェアにより実現されても、ソフトウェアを用いて実現されてもよい。なお、ソフトウェアによる処理は、制御装置１００、１００ａ或いは他の装置に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、装置に照明制御処理の全部又は一部を行わせることが可能となる。
【０１００】
また、上述した実施の形態等で示した構成要素及び機能を任意に組み合わせることで実現される形態も本発明の範囲に含まれる。
【０１０１】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１０２】
以下、本発明の一態様に係る照明制御システム、及び、この照明制御システムで用いられる照明装置、照明制御方法及び制御プログラムの構成、変形態様、効果等について示す。
【０１０３】
（１）本発明の一態様に係る照明制御システムは、照明装置毎に予め定められたシーン用点灯状態になり得る複数の照明装置２００ａ〜２００ｃを制御する照明制御システム１０、１０ａ、１０ｂであって、複数の照明装置２００ａ〜２００ｃのうち給電されている照明装置各々をその照明装置のシーン用点灯状態にするシーン制御を実行する第１制御部（例えば基本制御部１１０、１１０ａ）と、複数の照明装置２００ａ〜２００ｃのうち第１制御部による前記シーン制御の実行時に給電されていなかった特定照明装置が給電された際に、一定条件下で当該特定照明装置を当該特定照明装置の前記シーン用点灯状態にするよう制御する第２制御部（例えば同調制御部１２０、１２０ａ）とを備える。シーン用点灯状態としては、調光度、発光色（例えば色温度等）、配光等が相違する多様な状態があり得る。シーンが複数ある場合においてはシーン毎にシーン用点灯状態があり得る。なお、第１制御部、第２制御部のそれぞれは、照明制御システムを構成するいずれかの装置に含まれ得るが、同一装置に含まれていても、相互に連携動作する別々の装置に含まれてもよい。なお、第１制御部及び第２制御部が単一の装置（例えばメモリ及びプロセッサを備える装置）に含まれる場合において、例えば、第１制御部及び第２制御部それぞれの機能は、同じプロセッサによって、互いに異なるプログラムモジュール（命令列）を実行することにより、実現されるものであってもよい。
【０１０４】
この構成により、複数の照明装置２００ａ〜２００ｃの点灯状態についてシーンに応じた一括制御がなされた時に電力供給がなされていなかった照明装置（特定照明装置）の電源オンによるシーンへの悪影響を低減し得る。従来一般に多くの照明装置は電源オン状態（給電されている状態）になると全点灯状態或いは既定（デフォルト）の点灯状態になる。しかし、照明制御システム１０、１０ａ、１０ｂにおける特定照明装置は、シーン制御に同調させる必要がある場合等に係る一定条件の下で、第２制御部（例えば同調制御部１２０、１２０ａ）によりシーン用点灯状態へと導かれる。このため、特定照明装置が、シーンにそぐわない点灯状態（例えば全点灯状態、既定の点灯状態等）となることが抑制され、シーンへの悪影響が低減され得る。
【０１０５】
（２）例えば、第２制御部は、第１制御部がシーン制御を実行してから所定時間（例えば３０分、２時間等）内において特定照明装置（第１制御部によるシーン制御の実行時に給電されていなかった照明装置）が給電された場合には特定照明装置をシーン用点灯状態（給電されていなかった時に実行されたシーン制御に対応する点灯状態）にする制御を行い、その所定時間の後に特定照明装置が給電された場合にはその制御を行わないこととしてもよい。
【０１０６】
これにより、シーン制御が実行された後に十分な時間（所定時間より長い時間）が経過してから特定照明装置が電源オン状態になったときには特定照明装置は、シーン用点灯状態にならず、例えば通常の点灯状態（全点灯状態、既定の点灯状態等）となり得る。
【０１０７】
（３）例えば、第２制御部は、第１制御部のシーン制御によりシーン用点灯状態になった１台以上の照明装置の点灯状態がそのシーン用点灯状態と異なる状態に変更された後においては、特定照明装置をその特定照明装置のシーン用点灯状態にする制御を抑止することとしてもよい。なお、第２制御部は、第１制御部のシーン制御によりシーン用点灯状態になった１台以上の照明装置の点灯状態がそのシーン用点灯状態と異なる状態に変更されたことを、いかなる方法で検知してもよい。例えば、第２制御部の一例である同調制御部１２０ａは、シーン制御内容テーブル及び照明状態情報を用いて、照明装置におけるシーン用点灯状態から別の点灯状態への変更の検知を行う。
【０１０８】
これにより、シーン制御が実行された後に、個別に照明装置の点灯状態が変更されると、シーン制御が終了しているように取り扱われるようになる。即ち、そのシーン制御がなされた照明装置の点灯状態が個別に変更されてから特定照明装置が電源オン状態（給電された状態）になったときには特定照明装置は、シーン用点灯状態にならず、例えば通常の点灯状態（全点灯状態、既定の点灯状態等）となり得る。
【０１０９】
（４）例えば、照明制御システム１０、１０ａ、１０ｂは、複数の照明装置２００ａ〜２００ｃと、第１制御部（基本制御部１１０、１１０ａ）及び第２制御部（同調制御部１２０、１２０ａ）を有する制御装置１００、１００ａとを備え、第１制御部は、シーン制御を実行するために第１制御情報（シーン制御のための制御情報）の送信を行い、第２制御部は、特定照明装置を制御する場合には特定照明装置に第２制御情報（シーン制御に同調させるための制御情報）を送信し、複数の照明装置２００ａ〜２００ｃの各々は、照明部（例えば照明部２１０ａ等）と、制御装置１００、１００ａと通信する通信部（例えば通信部２２０ａ等）と、通信部により制御装置１００、１００ａから第１制御情報が受信された場合にはその照明装置のシーン用点灯状態となるように照明部を制御する照明制御部（例えば照明制御部２３０ａ等）とを有し、複数の照明装置２００ａ〜２００ｃのうち、特定照明装置を含む１台以上の照明装置各々における照明制御部は、その照明装置への給電が開始された際に通信部により制御装置１００、１００ａと通信して、その通信の際に制御装置１００、１００ａから第２制御情報が受信された場合にはその照明装置のシーン用点灯状態となるように照明部を制御することとしてもよい。なお、第１制御情報と第２制御情報とは同一であってもよいが、同一でなくてもよい。例えば、第１制御情報は、１つのシーン番号等を示すものであってもよいし、複数の照明装置２００ａ〜２００ｃそれぞれ用に相違し得る個別の制御情報（制御コマンド、パラメータ等）の集合体であってもよい。例えば、第２制御情報は、１つのシーン番号等を示すものであってもよいし、個別の特定照明装置用の制御情報（制御コマンド、パラメータ等）であってもよい。
【０１１０】
これにより、制御装置１００、１００ａが、複数の照明装置２００ａ〜２００ｃと通信することで、照明装置２００ａ〜２００ｃのうち特定照明装置に該当した照明装置をシーンに同調させ得る。
【０１１１】
（５）例えば、第１制御部（基本制御部１１０、１１０ａ）は、制御装置１００、１００ａがユーザ操作を受けたことに応じて、又は、ユーザ操作を受けた外部装置（例えばリモコン３００）から送信された信号を制御装置１００ａが受信したことに応じて、制御装置１００、１００ａから第１制御情報を送信させ、第２制御部（同調制御部１２０、１２０ａ）は、特定照明装置への給電が開始された際にその特定照明装置が送信する信号を、制御装置１００、１００ａが受信した際に、一定条件下で制御装置１００、１００ａから第２制御情報を送信させることとしてもよい。ここで、第１制御情報の送信は、ユーザ操作に起因して行われ、例えば、ユーザ操作を受けた際に行われ得るし、ユーザ操作内容によってはタイマー設定に従った時刻が到来した際に行われ得る。
【０１１２】
これにより、ユーザ操作によって複数の照明装置を一括してシーン用点灯状態にさせることが可能となる。また、特にユーザ操作を行うことなく特定照明装置が、シーン制御に同調（シーン用点灯状態へと遷移）し得る。
【０１１３】
（６）例えば、制御装置１００、１００ａは、ユーザ操作を受ける操作部１４０を備え、第１制御部は、操作部１４０によりユーザ操作を受けたことに応じて制御装置１００、１００ａから第１制御情報を送信させることとしてもよい。なお、制御装置１００ａが操作部１４０を有する態様においては、例えばリモコン３００がなくてもユーザは、シーン操作（シーン制御のためのユーザ操作）を行い得る。
【０１１４】
これにより、ユーザは、制御装置１００、１００ａを操作することで複数の照明装置２００ａ〜２００ｃをシーン用点灯状態に遷移させ得る。
【０１１５】
（７）例えば、制御装置１００、１００ａは、複数の照明装置２００ａ〜２００ｃのいずれか一台と一体化していることとしてもよい。
【０１１６】
これにより、例えば、照明装置（制御装置と一体化したものを含む。）とは別個の独立した制御装置を含めずに照明制御システムを構成し得る。このため、例えば照明制御システムの製造におけるコスト低減等が可能となり得る。
【０１１７】
（８）本発明の一態様に係る照明装置は、例えば、１台又は複数台の照明装置を制御するために点灯状態に関する制御情報を送信する制御装置１００、１００ａと通信し得る照明装置２００ｃであって、照明部２１０ｃと、制御装置１００、１００ａと通信する通信部２２０ｃと、通信部２２０ｃにより制御装置１００、１００ａから制御情報が受信された際にその制御情報に応じた点灯状態となるように照明部２１０ｃを制御する照明制御部２３０ｃと、自装置（照明装置２００ｃ）への給電が開始された際に、制御装置１００、１００ａに制御情報の送信を要求するために予め定められた要求信号を通信部２２０ｃに送信させる要求部２３１ｃとを備える。制御情報は、例えば、シーン番号等のシーン識別情報を含む情報であってもよいし、点灯状態に対応した制御コマンド、パラメータ等を示す情報であってもよい。制御情報がシーン識別情報を含む場合に照明装置２００ｃではそのシーン識別情報に対応した点灯状態で照明部２１０ｃを点灯させるために必要な情報を事前に記憶しているとよい。その必要な情報は予め製造時に照明装置２００ｃ内の記憶媒体（不揮発性メモリ等）に設定されていてもよいし、ユーザ操作に基づいて制御装置１００、１００ａ等の制御下で設定されていてもよい。なお、照明装置２００ｃによる要求信号の送信は、結果的に制御装置１００、１００ａからの制御情報の送信を導き得るが、制御装置は無条件に要求に応えるとは限らない。また、照明装置２００ｃが要求信号を送信する制御装置１００、１００ａは、独立した装置であっても、照明装置２００ｃ以外の照明装置と一体化した装置であってもよい。
【０１１８】
これにより、制御装置１００、１００ａは、照明装置から要求信号を受けた場合に必要に応じて制御情報を送信することで、例えば、その照明装置をシーンに同調させ得る。
【０１１９】
（９）例えば、照明制御部２３０ｃは、自装置（照明装置２００ｃ）への給電が開始されてから一定時間内において、通信部２２０ｃにより制御装置１００、１００ａからの制御情報が受信されるまでは、所定基準より暗い点灯状態となるように照明部２１０ｃを制御することとしてもよい。
【０１２０】
これにより、照明装置２００ｃが電源オン状態になった瞬間に、例えば全点灯状態となってシーンの雰囲気を壊す等といった、シーンへ悪影響を与えてしまうことを、抑制し得る。なお、ユーザにとっては、電源オン直後に照明装置２００ｃが消灯状態のままでなく暗い点灯状態となる等の反応が得られることで、照明装置２００ｃが故障していないことを確認できる。
【０１２１】
（１０）例えば、照明制御部２３０ｃは、自装置（照明装置２００ｃ）への給電が開始された際に所定基準より暗い点灯状態となるように照明部２１０ｃを制御し、通信部２２０ｃにより制御装置１００、１００ａからの制御情報が受信されるまでは、徐々に、より明るい点灯状態へと変化するように照明部２１０ｃを制御することとしてもよい。徐々に明るい点灯状態へ変化することは、少なくとも、明るさの程度が相対的に小、中、大の３段階で変化することである。
【０１２２】
これにより、例えば照明装置２００ｃが電源オン状態になってから制御情報が受信できるまでに、いきなり照明装置２００ｃの明るさの程度が大の段階になることに比べて、シーンへの悪影響が低減され得る。
【０１２３】
（１１）本発明の一態様に係る照明制御方法は、照明装置毎に予め定められたシーン用点灯状態になり得る複数の照明装置２００ａ〜２００ｃを制御する照明制御方法であって、複数の照明装置２００ａ〜２００ｃのうち給電されている照明装置各々をその照明装置のシーン用点灯状態にするシーン制御を実行する第１制御ステップ（例えばステップＳ１２、Ｓ３５等）と、複数の照明装置２００ａ〜２００ｃのうち第１制御ステップでのシーン制御の実行時に給電されていなかった特定照明装置が給電された際に、一定条件下でその特定照明装置を、その特定照明装置のシーン用点灯状態にするよう制御する第２制御ステップ（例えばステップＳ１５、Ｓ４０等）とを含む。
【０１２４】
これにより、複数の照明装置２００ａ〜２００ｃの点灯状態についてシーンに応じた一括制御がなされた時に電力供給がなされていなかった照明装置（特定照明装置）の電源オンによるシーンへの悪影響を低減し得る。
【０１２５】
（１２）本発明の一態様に係る制御プログラムは、通信回路及びマイクロプロセッサを備える制御装置１００、１００ａに、照明装置毎に予め定められたシーン用点灯状態になり得る複数の照明装置２００ａ〜２００ｃを制御する照明制御処理を実行させるための制御プログラムであって、照明制御処理は、複数の照明装置２００ａ〜２００ｃのうち給電されている照明装置各々をその照明装置のシーン用点灯状態にするシーン制御を実行するために第１制御情報を送信する第１制御ステップ（例えばステップＳ１２、Ｓ３５等）と、複数の照明装置２００ａ〜２００ｃのうち第１制御ステップでの第１制御情報の送信時に給電されていなかった特定照明装置が給電されたことをその特定照明装置との通信により検知した際に、一定条件下でその特定照明装置をその特定照明装置のシーン用点灯状態にするよう制御するために第２制御情報を送信する第２制御ステップ（例えばステップＳ１５、Ｓ４０等）とを含む。
【０１２６】
この制御プログラムを、通信回路及びマイクロプロセッサを備える制御装置１００、１００ａにインストールすれば、制御装置１００、１００ａが照明制御処理を行う。この結果として、複数の照明装置２００ａ〜２００ｃの点灯状態についてシーンに応じた一括制御がなされた時に電力供給がなされていなかった照明装置（特定照明装置）の電源オンによるシーンへの悪影響が低減され得る。
【符号の説明】
【０１２７】
１０、１０ａ、１０ｂ  照明制御システム
１００、１００ａ  制御装置
１１０、１１０ａ  基本制御部（第１制御部）
１２０、１２０ａ  同調制御部（第２制御部）
１４０  操作部
２００ａ〜２００ｃ  照明装置
２１０ａ〜２１０ｃ  照明部
２２０ａ〜２２０ｃ  通信部
２３０ａ〜２３０ｃ  照明制御部
２３１ａ〜２３１ｃ  要求部
【図１】
2018006298.tif 000003
【図２】
2018006298.tif 000004
【図３】
2018006298.tif 000005
【図４】
2018006298.tif 000006
【図５】
2018006298.tif 000007
【図６】
2018006298.tif 000008
【図７】
2018006298.tif 000009
【図８】
2018006298.tif 000010
【図９】
2018006298.tif 000011
【図１０】
2018006298.tif 000012
【図１１】
2018006298.tif 000013
【図１２】
2018006298.tif 000014
【図１３】
2018006298.tif 000015
【図１４】
2018006298.tif 000016